(57)【特許請求の範囲】
【請求項１】
金属材料または合成樹脂材料からなり、上下両端が開口した筒状かつ少なくとも一部が平面視において環状に形成された本体部と、当該本体部の表面に設けられた装飾部とを備え、
本体部が、ベルト通しのベルト挿通部分の長さと略同じ長さを有しているとともに、衣服のベルト通しに着脱可能に取り付けるためのスリット状の装着用開口部を備えており、
装着用開口部が、本体部の上下両端の開口部に連通するとともに、本体部の内部に連通していて、本体部の上下両端部分において開口幅が狭く、本体部の上下方向中間部分において開口幅が広くなるように形成されていることを特徴とする装飾具。
【発明の詳細な説明】
【技術分野】
【０００１】
本発明は、衣服のベルト通しに取り付けられる装飾具に関するものである。
【背景技術】
【０００２】
本願発明者は、衣服のウエスト部に着脱可能に取り付けられる装飾具として、衣服のウエスト部に、例えば上または下に開口する袋状または筒状の装着部を形成し、この装着部に装飾具の本体部を着脱可能に取り付けるように構成したものを既に提案している。 (例えば特許文献１参照)。
【０００３】
しかしながら、上記提案の装飾具は、衣服のウエスト部に袋状または筒状の装着部を形成するために、布地片を衣服のウエスト部に縫着する必要があることから、複雑な縫製工程となり、手間がかかり、製造コストが高くつく。
また、上記提案の装飾具は、前記装着部が縫着されている箇所にしか、その本体部を取り付けることができず、前記装着部が縫着されていない衣服に装着するのは困難である。
【特許文献１】特願２００４−２１５８９４号公報
【発明の開示】
【発明が解決しようとする課題】
【０００４】
本発明は、上記問題点に鑑みてなされたものであって、その目的とするところは、衣服のベルト通しに容易に着脱できるとともに、衣服のベルト通しの表面を効果的に装飾することのできる装飾具を提供することにある。
【課題を解決するための手段】
【０００５】
請求項１記載の発明は、金属材料または合成樹脂材料からなり、上下両端が開口した筒状かつ少なくとも一部が平面視において環状に形成された本体部と、当該本体部の表面に設けられた装飾部とを備え、本体部が、ベルト通しのベルト挿通部分の長さと略同じ長さを有しているとともに、衣服のベルト通しに着脱可能に取り付けるためのスリット状の装着用開口部を備えており、装着用開口部が、本体部の上下両端の開口部に連通するとともに、本体部の内部に連通していて、本体部の上下両端部分において開口幅が狭く、本体部の上下方向中間部分において開口幅が広くなるように形成されていることを特徴とするものである。
【０００６】
（削除）
【０００７】
（削除）
【０００８】
（削除）
【０００９】
（削除）
【発明の効果】
【００１０】
請求項１記載の発明によれば、金属材料または合成樹脂材料からなり、上下両端が開口した筒状かつ少なくとも一部が平面視において環状に形成された本体部と、当該本体部の表面に設けられた装飾部とを備え、本体部が、ベルト通しのベルト挿通部分の長さと略同じ長さを有しているとともに、衣服のベルト通しに着脱可能に取り付けるためのスリット状の装着用開口部を備えているので、
本体部をベルト通しに取り付けるだけで、ベルト通しの表面を装飾部によって効果的に装飾することができ、衣服の雰囲気を簡単に変化させることができる。また、本発明の装飾具は、装飾部が本体部の表面に設けられているので、本体部に対する装飾部の一体感が高くデザイン性に優れる上、構造がシンプルで成形し易い。
また、装着用開口部が、本体部の上下両端の開口部に連通するとともに、本体部の内部に連通していて、本体部の上下両端部分において開口幅が狭く、本体部の上下方向中間部分において開口幅が広くなるように形成されているので、ベルト通しに対して着脱しやすいという効果がある。さらに、装着用開口部の開口面積が大きいので、装飾具の軽量化を図ることができる。
また、本体部が金属材料からなるものでは、耐久性に優れる上、金属独特の光沢や質感が得られ、外観にも優れる。また、本体部が合成樹脂材料からなるものでは、軽量で取り扱いやすいという利点がある。
【００１１】
（削除）
【００１２】
（削除）
【００１３】
（削除）
【００１４】
（削除）
【発明を実施するための最良の形態】
【００１５】
以下、本発明にかかる装飾具の第１の実施形態について詳細に説明する。
【００１６】
本実施形態の装飾具１ｃは、金属製で、図１に示すように、平面視で略楕円状に形成された本体部２ｃと、本体部２ｃの前面に施された装飾部３とから構成されている。
【００１７】
本体部２ｃは、上下両端に開口部２１，２２を有しており、図３に示すように、本体部２ｃの内部は衣服のベルト通しＴ１の幅よりも広く、ベルト通しＴ１のベルト挿通部分の長さと略同じ長さに形成されている。
本体部２ｃの背面には、上下両端の開口部２１，２２に連通するとともに、本体部２ｃの内部に連通するスリット状の装着用開口部２３ｃが形成されている。装着用開口部２３ｃの開口幅は、衣服のベルト通しＴ１を本体部２ｃ内に挿入できるように、衣服のベルト通しＴ１の厚さよりやや広く形成されており、本体部２ｃの上下両端部分において開口幅が狭く、本体部２ｃの上下方向中間部分において開口幅が広くなっている。
【００１８】
装飾部３は、デザイン性を有する装飾模様からなり、本体部２ｃの前面に直接施されている。
【００１９】
（削除）
【００２０】
ここで、装飾具１ｃの製造方法としては、例えば、断面円形の管状部材を径方向に押圧して断面楕円形状に形成した後、管状部材の側面部をレーザービーム等によって開口し、その後、所定の長さに切断し、上下両端の開口部２１，２２と、背面の装着用開口部２３ｃとを備えた平面視で略楕円状に形成する。次に、管の表面に、レーザービームや切削機器等により、切削模様や透かし模様などの装飾模様を施して装飾部３を備えた本体部２ｃを形成する。
【００２１】
次に、本実施形態の装飾具１ｃを衣服のベルト通しＴ１に取り付ける取り付け手順について説明する。まず、図３に示すように、装飾具１ｃをその装飾部３が表われるように装着用開口部２３ｃをベルト通しＴ１の側方に配置する。次に、ベルト通しＴ１を装飾具１ｃの装着用開口部２３ｃから本体部２ｃ内に挿通させて、衣服のベルト通しＴ１に装飾具１ｃを取り付ける。
【００２２】
以上詳述した通り、本実施形態の装飾具１ｃによれば、本体部２ｃの背面に装着用開口部２３ｃが形成されているので、本体部を装着するための装着部を衣服側に形成しなくても、装着用開口部２３ｃを介して、衣服のベルト通しＴ１に簡単に装着することができる。
【００２３】
また、本体部２ｃの前面に装飾部３が施されているので、ベルト通しＴ１の前面部を装飾部３によって装飾することにより、衣服の雰囲気を簡単に変化させることができるし、衣服に合わせて装飾具を取り替えることもできる。
【００２４】
また、装飾部３が本体部２ｃに一体形成されているので、本体部２ｃに対する装飾部３の一体感が高く、デザイン性に優れる上、装飾部３の欠落や紛失も防止できる。また、構造がシンプルで成形しやすい上、部品点数も少ないため、製造が容易であるという利点もある。
【００２５】
さらに、本実施形態の装飾具１ｃによれば、装着用開口部２３ｃの開口幅の狭い部分が、本体部２ｃの上下両端部分だけであって、本体部２ｃの中間部分においては開口幅が広いので、衣服のベルト通しに着脱しやすい。また、装着用開口部２３ｃが外観上現れにくいので、美観に優れるという利点もある。さらに、装着用開口部２３ｃの開口面積を大きくしてあるので、軽量化を図ることができる。
【００２６】
（削除）
【００２７】
また、装飾具１ｃは、金属製なので、耐久性に優れる上、金属独特の光沢や質感が得られ、外観にも優れる。
【００２８】
（削除）
【００２９】
次に、本発明にかかる装飾具の他の実施形態について、図２を用いて、説明する。なお、上記の第１の実施形態と同一の構成部分については、同一の符号を表記して、詳細な説明は省略するものとする。
【００３０】
（削除）
【００３１】
（削除）
【００３２】
第２の実施形態の装飾具１ｄは、図２に示すように、本体部２ｄが平面視で略楕円状に形成されていて、本体部２ｄには、上下両端の開口部２１，２２に連通するとともに、本体部２ｄの内部に連通する装着用開口部２３ｄが形成されている。装着用開口部２３ｄは、本体部２ｄの上端部分において、本体部２ｄの一側面にスリット状に形成され、本体部２ｄの下端部分において、本体部２ｄの他側面に同じくスリット状に形成され、本体部２ｄの上下方向中間部分において、本体部２ｄの背面全体に形成されている。また、装着用開口部２３ｄは、本体部２ｄの上下端部分において、本体部２ｄ内に折り返されてなる鉤状の抜け止め部２４ｄが形成されている。
本実施形態の装飾具１ｄによれば、上記効果に加えて、装着用開口部２３ｄの開口幅の狭い部分が、本体部２ｄの上端部分と下端部分とにおいて、それぞれ左右反対側の側面に形成されているので、衣服のベルト通しＴ１に着脱しやすい。また、装着用開口部２３ｄの開口幅の狭い部分が、本体部２ｄの上下両端部分だけであって、本体部２ｄの中間部分においては開口幅が広いので、衣服のベルト通しＴ１にさらに着脱しやすい。また、装着用開口部２３ｄの開口面積を大きくしてあるので、軽量化を図ることができる。
【００３３】
なお、上記実施形態の装飾具１ｃ，１ｄは、本体部２ｃ，２ｄの前面に装飾部３を設けているが、装飾部３を設ける箇所は、衣服のベルト通しに装着した時に外部から視認できる箇所に設けられていればよい。つまり、装飾部３を設ける箇所は、本体部２ｃ，２ｄの前面を含んでいることが好ましいが、これに限られず、本体部２ｃの側面だけでもよい。なお、本体部２ｃ，２ｄの背面に、前面の装飾部３と同一の柄の装飾部を設ければ、本体部２ｃの表裏を確認することなくベルト通しＴ１に取り付けることができて便利であるし、本体部２ｃの背面に、前面の装飾部３とは異なる柄の装飾部を設ければ、ファッションに合わせて２種類の装飾パターンを使い分けることができる。
【００３４】
（削除）
【００３５】
（削除）
【００３６】
（削除）
【００３７】
（削除）
【００３８】
また、装飾具１ｃ，１ｄは、金属製に限られず、所定の形状に成形可能で、衣服のベルト通しに装着できる適度な硬さを備えている材料であれば、合成樹脂製でもよい。また、合成樹脂製の基材の表面に金属メッキを施したものでも構わない。特に、合成樹脂製であれば、材料コストが低い上、射出成形等によって大量生産できるので、廉価に大量に供給できる。また、軽量で取り扱いやすいという利点もある。
【００３９】
（削除）
【図面の簡単な説明】
【００４０】
【図１】本発明にかかる第１の実施形態の装飾具１ｃを示す外観斜視図である。
【図２】本発明にかかる第２の実施形態の装飾具１ｄを示す外観斜視図である。
【図３】本発明にかかる装飾具の使用手順を示す説明図である。
【符号の説明】
【００４１】
１ｃ  装飾具
１ｄ  装飾具
２ｃ  本体部
２ｄ  本体部
２３ｃ  装着用開口部
２３ｄ  装着用開口部
３    装飾部
Ｔ１  ベルト通し
【図１】
0003921491.tif 000002
【図２】
0003921491.tif 000003
【図３】
0003921491.tif 000004